(57)【要約】  本発明は、通信分野に適用可能であり、干渉協調方法及び基地局を提供し、ここで、当該方法は、基地局が、少なくとも１つのサブフレーム内にあり、ユーザ装置により送信される干渉インジケータを受信するステップであって、干渉インジケータは少なくとも１つのサブフレーム内においてユーザ装置により受信され、全ての物理リソースブロックＰＲＢの受信干渉信号強度インジケータＲＳＳＩ、又は全てのＰＲＢのＲＳＳＩのソートされたインデックス値を有する、受信するステップと、基地局が、サービングセルの少なくとも１つのサブフレーム内の干渉インジケータとアップリンクリソース割当て情報とに従って、最も高い優先度を有する第１の候補ユーザ装置識別情報リストを決定するステップであって、サービングセルは基地局により管理され、ユーザ装置に供するセルである、決定するステップと、基地局が、第１の候補ユーザ装置識別情報リストにおいて最小の干渉を有するユーザ装置の識別情報に対応するマクロセルの通信リンクがＤ２Ｄ通信のための再利用可能なリソースであると判定するステップとを有する。
2016507201.tif 000002
【特許請求の範囲】
【請求項１】
干渉協調方法であって、
基地局が、少なくとも１つのサブフレーム内にあり、ユーザ装置により送信される干渉インジケータを受信するステップであって、前記干渉インジケータは前記少なくとも１つのサブフレーム内において前記ユーザ装置により受信され、全ての物理リソースブロックＰＲＢの受信干渉信号強度インジケータＲＳＳＩ、又は前記全てのＰＲＢのＲＳＳＩのソートされたインデックス値を有する、受信するステップと、
前記基地局が、サービングセルの前記少なくとも１つのサブフレーム内の前記干渉インジケータとアップリンクリソース割当て情報とに従って、最も高い優先度を有する第１の候補ユーザ装置識別情報リストを決定するステップであって、前記サービングセルは前記基地局により管理され、前記ユーザ装置に供するセルであり、前記第１の候補ユーザ装置識別情報リストは前記サービングセルの候補ユーザ装置識別情報と、前記サービングセルの候補ユーザ装置識別情報に対応するマクロセルの通信リンクの干渉情報とを有する、決定するステップと、
前記基地局が、前記第１の候補ユーザ装置識別情報リストにおいて最小の干渉を有するユーザ装置の識別情報に対応するマクロセルの通信リンクがデバイス・ツー・デバイスＤ２Ｄ通信のための再利用可能なリソースであると判定するステップと、
を有する干渉協調方法。
【請求項２】
前記基地局が、サービングセルの前記少なくとも１つのサブフレーム内の前記干渉インジケータとアップリンクリソース割当て情報とに従って、最も高い優先度を有する第１の候補ユーザ装置識別情報リストを決定するステップは、
前記基地局が、前記干渉インジケータと前記アップリンクリソース割当て情報とに従って最も高い優先度を有する前記第１の候補ユーザ装置識別情報リストを決定するステップと、
前記基地局が、隣接セルの第２の候補ユーザ装置識別情報リストを取得するステップであって、前記第２の候補ユーザ装置識別情報リストは、前記隣接セルの候補ユーザ装置識別情報と前記隣接セルの候補ユーザ装置識別情報に対応するマクロセルの通信リンクの干渉情報とを有する、取得するステップと、
前記第２の候補ユーザ装置識別情報リストに従って前記第１の候補ユーザ装置識別情報リストを調整するステップと、
を有する、請求項１記載の方法。
【請求項３】
前記第２の候補ユーザ装置識別情報リストに従って前記第２の候補ユーザ装置識別情報リストを調整するステップは、具体的には、
前記第１のユーザ装置識別情報リストから前記隣接セルにおいて大きな干渉を有するユーザ装置の識別情報を削除するステップであって、前記隣接セルにおいて大きな干渉を有するユーザ装置の識別情報は、具体的には、前記第２のユーザ装置識別情報リストにおいて干渉が閾値を超過するユーザ装置の識別情報である、削除するステップを有する、請求項２記載の方法。
【請求項４】
前記基地局が、隣接セルの第２の候補ユーザ装置識別情報リストを取得するステップは、具体的には、
前記サービングセルと前記隣接セルとが同一の基地局により提供される場合、前記基地局が、前記隣接セルの前記第２の候補ユーザ装置識別情報リストを直接取得するステップと、
前記サービングセルと前記隣接セルとが同一の局により提供されない場合、前記基地局が、前記隣接セルを提供する基地局により送信される前記第２の候補ユーザ装置識別情報リストを受信するステップと、
を有する、請求項２記載の方法。
【請求項５】
前記基地局が、前記第１の候補ユーザ装置識別情報リストにおいて最小の干渉を有するユーザ装置の識別情報に対応するマクロセルの通信リンクがデバイス・ツー・デバイスＤ２Ｄ通信のための再利用可能なリソースであると判定した後、当該方法は更に、
前記サービングセルと前記隣接セルとが同一の基地局により提供されない場合、前記基地局が、前記隣接セルを提供する前記基地局に前記第１の候補ユーザ装置識別情報リストを送信するステップを有する、請求項１乃至４何れか一項記載の方法。
【請求項６】
基地局であって、
少なくとも１つのサブフレーム内にあり、ユーザ装置により送信される干渉インジケータを受信するよう構成される受信ユニットであって、前記干渉インジケータは前記少なくとも１つのサブフレーム内において前記ユーザ装置により受信され、全ての物理リソースブロックＰＲＢの受信干渉信号強度インジケータＲＳＳＩ、又は前記全てのＰＲＢのＲＳＳＩのソートされたインデックス値を有する、受信ユニットと、
サービングセルの前記少なくとも１つのサブフレーム内の前記干渉インジケータとアップリンクリソース割当て情報とに従って、最も高い優先度を有する第１の候補ユーザ装置識別情報リストを決定するよう構成される決定ユニットであって、前記サービングセルは前記基地局により管理され、前記ユーザ装置に供するセルであり、前記第１の候補ユーザ装置識別情報リストは前記サービングセルの候補ユーザ装置識別情報と、前記サービングセルの候補ユーザ装置識別情報に対応するマクロセルの通信リンクの干渉情報とを有する、決定ユニットと、
前記第１の候補ユーザ装置識別情報リストにおいて最小の干渉を有するユーザ装置の識別情報に対応するマクロセルの通信リンクがデバイス・ツー・デバイスＤ２Ｄ通信のための再利用可能なリソースであると判定するよう構成される選択ユニットと、
を有する基地局。
【請求項７】
前記決定ユニットは、具体的には、
前記干渉インジケータと前記アップリンクリソース割当て情報とに従って最も高い優先度を有する前記第１の候補ユーザ装置識別情報リストを決定し、
隣接セルの第２の候補ユーザ装置識別情報リストを取得し、前記第２の候補ユーザ装置識別情報リストは、前記隣接セルの候補ユーザ装置識別情報と前記隣接セルの候補ユーザ装置識別情報に対応するマクロセルの通信リンクの干渉情報とを有し、
前記第２の候補ユーザ装置識別情報リストに従って前記第１の候補ユーザ装置識別情報リストを調整するよう構成される、請求項６記載の基地局。
【請求項８】
前記決定ユニットは、
前記干渉インジケータと前記アップリンクリソース割当て情報とに従って最も高い優先度を有する前記第１の候補ユーザ装置識別情報リストを決定するよう構成される第１確定モジュールと、
前記サービングセルと隣接セルとが同一の基地局により提供される場合、前記隣接セルの第２の候補ユーザ装置識別情報リストを直接取得し、前記サービングセルと前記隣接セルとが同一の基地局により提供されない場合、前記隣接セルを提供する基地局により送信される第２の候補ユーザ装置識別情報リストを受信するよう構成される取得モジュールであって、前記第２の候補ユーザ装置識別情報リストは、前記隣接セルの候補ユーザ装置識別情報と前記隣接セルの候補ユーザ装置識別情報に対応するマクロセルの通信リンクの干渉情報とを有する、取得モジュールと、
前記第１のユーザ装置識別情報リストから前記隣接セルにおいて大きな干渉を有するユーザ装置の識別情報を削除するよう構成される調整モジュールであって、前記隣接セルにおいて大きな干渉を有するユーザ装置の識別情報は、具体的には、前記第２のユーザ装置識別情報リストにおいて干渉が閾値を超過するユーザ装置の識別情報である、調整モジュールとを有する、請求項６記載の基地局。
【請求項９】
当該基地局は更に、
前記サービングセルと前記隣接セルとが同一の基地局により提供されない場合、前記隣接セルを提供する前記基地局に前記第１の候補ユーザ装置識別情報リストを送信するよう構成される送信ユニットを有する、請求項６乃至８何れか一項記載の基地局。
【発明の詳細な説明】
【技術分野】
【０００１】
本発明は、通信分野に属し、特に干渉協調方法及び基地局に属する。
【背景技術】
【０００２】
３ＧＰＰにおいて提案されたロング・ターム・エボリューション・アドバンスト（英語：ｌｏｎｇ  ｔｅｒｍ  ｅｖｏｌｕｔｉｏｎ  Ａｄｖａｎｃｅｄ、略してＬＴＥ−Ａ）の以降の研究プロジェクトのため、より高いデータレート及びシステムキャパシティを提供するために、ＩＭＴ−Ａｄｖａｎｃｅｄ（英語のフルネーム：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）の要求を充足するための新たな技術が、ＬＴＥに基づき提供される必要がある。セルラネットワーク上では、ＩＭＴ−Ａシステムは、スペクトル利用レートを向上させるため、デバイス・ツー・デバイス（英語：Ｄｅｖｉｃｅ−ｔｏ−Ｄｅｖｉｃｅ、略してＤ２Ｄ）通信をサポートすることが許容されている。Ｄ２Ｄ通信は、データ交換又はサービスが基地局を介した転送なく直接的に実行される技術である。セルラネットワーク上では、Ｄ２Ｄ通信はライセンスされた周波数帯において作用し、各Ｄ２Ｄ通信リンクにより占有されるリソースは、セルラ通信リンクにより占有されるリソースと同じである。セルラネットワークとリソースを共有するとき、Ｄ２Ｄ通信はまたある干渉をもたらす。セルラネットワークとＤ２Ｄ通信との間の干渉をどのようにして効果的に協調させるかは、早急に解決する必要がある問題である。
【発明の概要】
【０００３】
本発明の実施例の目的は、セルラネットワークとＤ２Ｄ通信との間の干渉の問題を効果的に解決することを意図した干渉協調方法を提供することである。
【０００４】
第１の態様によると、干渉協調方法が提供され、ここで、当該方法は、
基地局が、少なくとも１つのサブフレーム内にあり、ユーザ装置により送信される干渉インジケータを受信するステップであって、前記干渉インジケータは前記少なくとも１つのサブフレーム内において前記ユーザ装置により受信され、全ての物理リソースブロックＰＲＢの受信干渉信号強度インジケータＲＳＳＩ、又は前記全てのＰＲＢのＲＳＳＩのソートされたインデックス値を有する、受信するステップと、
前記基地局が、サービングセルの前記少なくとも１つのサブフレーム内の前記干渉インジケータとアップリンクリソース割当て情報とに従って、最も高い優先度を有する第１の候補ユーザ装置識別情報リストを決定するステップであって、前記サービングセルは前記基地局により管理され、前記ユーザ装置に供するセルであり、前記第１の候補ユーザ装置識別情報リストは前記サービングセルの候補ユーザ装置識別情報と、前記サービングセルの候補ユーザ装置識別情報に対応するマクロセルの通信リンクの干渉情報とを有する、決定するステップと、
前記基地局が、前記第１の候補ユーザ装置識別情報リストにおいて最小の干渉を有するユーザ装置の識別情報に対応するマクロセルの通信リンクがデバイス・ツー・デバイス（Ｄ２Ｄ）通信のための再利用可能なリソースであると判定するステップと、
を有する。
【０００５】
第１の態様における干渉協調方法を参照して、第１の態様の第１の任意的方策では、前記基地局が、サービングセルの前記少なくとも１つのサブフレーム内の前記干渉インジケータとアップリンクリソース割当て情報とに従って、最も高い優先度を有する第１の候補ユーザ装置識別情報リストを決定するステップは、
前記基地局が、前記干渉インジケータと前記アップリンクリソース割当て情報とに従って最も高い優先度を有する前記第１の候補ユーザ装置識別情報リストを決定するステップと、前記基地局が、隣接セルの第２の候補ユーザ装置識別情報リストを取得するステップであって、前記第２の候補ユーザ装置識別情報リストは、前記隣接セルの候補ユーザ装置識別情報と前記隣接セルの候補ユーザ装置識別情報に対応するマクロセルの通信リンクの干渉情報とを有する、取得するステップと、前記第２の候補ユーザ装置識別情報リストに従って前記第１の候補ユーザ装置識別情報リストを調整するステップとを有する。
【０００６】
第１の態様の第１の任意的方策を参照して、第１の態様の第２の任意的方策では、前記第２の候補ユーザ装置識別情報リストに従って前記第２の候補ユーザ装置識別情報リストを調整するステップは、具体的には、
前記第１のユーザ装置識別情報リストから前記隣接セルにおいて大きな干渉を有するユーザ装置の識別情報を削除するステップであって、前記隣接セルにおいて大きな干渉を有するユーザ装置の識別情報は、具体的には、前記第２のユーザ装置識別情報リストにおいて干渉が閾値を超過するユーザ装置の識別情報である、削除するステップを有する。
【０００７】
第１の態様の第１の任意的方策を参照して、第１の態様の第３の任意的方策では、前記基地局が、隣接セルの第２の候補ユーザ装置識別情報リストを取得するステップは、具体的には、
前記サービングセルと前記隣接セルとが同一の基地局により提供される場合、前記基地局が、前記隣接セルの前記第２の候補ユーザ装置識別情報リストを直接取得するステップと、
前記サービングセルと前記隣接セルとが同一の基地局により提供されない場合、前記基地局が、前記隣接セルを提供する基地局により送信される前記第２の候補ユーザ装置識別情報リストを受信するステップと、
を有する。
【０００８】
第１の態様、第１の態様の第１の任意的方策、第１の態様の第２の任意的方策又は第１の態様の第３の任意的方策における干渉協調方法を参照して、第１の態様の第４の任意的方策では、前記基地局が、前記第１の候補ユーザ装置識別情報リストにおいて最小の干渉を有するユーザ装置の識別情報に対応するマクロセルの通信リンクがデバイス・ツー・デバイス（Ｄ２Ｄ）通信のための再利用可能なリソースであると判定した後、当該方法は更に、
前記サービングセルと前記隣接セルとが同一の基地局により提供されない場合、前記基地局が、前記隣接セルを提供する前記基地局に前記第１の候補ユーザ装置識別情報リストを送信するステップを有する。
【０００９】
第２の態様によると、基地局が提供され、ここで、当該基地局は、
少なくとも１つのサブフレーム内にあり、ユーザ装置により送信される干渉インジケータを受信するよう構成される受信ユニットであって、前記干渉インジケータは前記少なくとも１つのサブフレーム内において前記ユーザ装置により受信され、全ての物理リソースブロックＰＲＢの受信干渉信号強度インジケータＲＳＳＩ、又は前記全てのＰＲＢのＲＳＳＩのソートされたインデックス値を有する、受信ユニットと、
サービングセルの前記少なくとも１つのサブフレーム内の前記干渉インジケータとアップリンクリソース割当て情報とに従って、最も高い優先度を有する第１の候補ユーザ装置識別情報リストを決定するよう構成される決定ユニットであって、前記サービングセルは前記基地局により管理され、前記ユーザ装置に供するセルであり、前記第１の候補ユーザ装置識別情報リストは前記サービングセルの候補ユーザ装置識別情報と、前記サービングセルの候補ユーザ装置識別情報に対応するマクロセルの通信リンクの干渉情報とを有する、決定ユニットと、
前記第１リストにおいて最小の干渉を有するユーザ装置の候補ユーザ装置識別情報の識別情報に対応するマクロセルの通信リンクがデバイス・ツー・デバイス（Ｄ２Ｄ）通信のための再利用可能なリソースであると判定するよう構成される選択ユニットと、
を有する。
【００１０】
第２の態様における基地局を参照して、第２の態様の第１の任意的方策では、前記決定ユニットは、具体的には、前記干渉インジケータと前記アップリンクリソース割当て情報とに従って最も高い優先度を有する前記第１の候補ユーザ装置識別情報リストを決定し、隣接セルの第２の候補ユーザ装置識別情報リストを取得し、前記第２の候補ユーザ装置識別情報リストは、前記隣接セルの候補ユーザ装置識別情報と前記隣接セルの候補ユーザ装置識別情報に対応するマクロセルの通信リンクの干渉情報とを有し、前記第２の候補ユーザ装置識別情報リストに従って前記第１の候補ユーザ装置識別情報リストを調整するよう構成される。
【００１１】
第２の態様における基地局を参照して、第２の態様の第２の任意的方策では、前記決定ユニットは、
前記干渉インジケータと前記アップリンクリソース割当て情報とに従って最も高い優先度を有する前記第１の候補ユーザ装置識別情報リストを決定するよう構成される第１確定モジュールと、
前記サービングセルと隣接セルとが同一の基地局により提供される場合、前記隣接セルの第２の候補ユーザ装置識別情報リストを直接取得し、前記サービングセルと前記隣接セルとが同一の基地局により提供されない場合、前記隣接セルを提供する基地局により送信される第２の候補ユーザ装置識別情報リストを受信するよう構成される取得モジュールであって、前記第２の候補ユーザ装置識別情報リストは、前記隣接セルの候補ユーザ装置識別情報と前記隣接セルの候補ユーザ装置識別情報に対応するマクロセルの通信リンクの干渉情報とを有する、取得モジュールと、
前記第１のユーザ装置識別情報リストから前記隣接セルにおいて大きな干渉を有するユーザ装置の識別情報を削除するよう構成される調整モジュールであって、前記隣接セルにおいて大きな干渉を有するユーザ装置の識別情報は、具体的には、前記第２のユーザ装置識別情報リストにおいて干渉が閾値を超過するユーザ装置の識別情報である、調整モジュールとを有する。
【００１２】
第２の態様、第２の態様の第１の任意的方策又は第２の態様の第２の任意的方策における基地局を参照して、第２の態様の第３の任意的方策では、当該基地局は更に、
前記サービングセルと前記隣接セルとが同一の基地局により提供されない場合、前記隣接セルを提供する前記基地局に前記第１の候補ユーザ装置識別情報リストを送信するよう構成される送信ユニットを有する。
【００１３】
本発明の実施例では、Ｄ２Ｄのための再利用可能なリソースの識別情報が本発明において提供される技術的方策に従って選択されると、選択されたものは常に候補ユーザ装置識別情報リストにおける最小の干渉を有するマクロセルの通信リンクとなり、これにより、マクロ基地局上のＤ２Ｄ通信から生成される干渉が低減できる。
【図面の簡単な説明】
【００１４】
【図１】図１は、本発明の実施例１による干渉協調方法のフローチャートである。
【図２】図２は、本発明の実施例２による干渉協調方法のフローチャートである。
【図３】図３は、本発明の実施例２による第１の候補ユーザ装置識別情報リストの概略図である。
【図４】図４は、本発明の実施例３による基地局の構成図である。
【図５】図５は、本発明の実施例４による基地局の構成図である。
【発明を実施するための形態】
【００１５】
本発明の課題、技術的方策及び効果をより明確且つより理解可能にするため、以下は更に、添付した図面及び実施例を参照して本発明を詳細に説明する。ここに説明される特定の実施例は単に本発明を説明するのに利用され、本発明を限定することを意図するものでないことが理解されるべきである。
【００１６】
実施例１
実施例１において、干渉協調方法が提供され、ここで、当該方法は基地局により実行される。図１に示される方法は以下を含む。
【００１７】
Ｓ１１：基地局が、少なくとも１つのサブフレーム内にあり、ユーザ装置により送信される干渉インジケータを受信し、ここで、干渉インジケータは少なくとも１つのサブフレーム内においてユーザ装置により受信され、全ての物理リソースブロック（英語：Ｐｈｙｓｉｃａｌ  ｒｅｓｏｕｒｃｅ  ｂｌｏｃｋ、略してＰＲＢ）の受信干渉信号強度インジケータ（英語：Ｒｅｃｅｉｖｅｄ  Ｓｉｇｎａｌ  Ｓｔｒｅｎｇｔｈ  Ｉｎｄｉｃａｔｉｏｎ、略してＲＳＳＩ）、又はＰＲＢのＲＳＳＩのソートされたインデックス値を有する。
【００１８】
Ｓ１２：基地局が、サービングセルの少なくとも１つのサブフレーム内の干渉インジケータとアップリンクリソース割当て情報とに従って、最も高い優先度を有する第１の候補ユーザ装置識別情報リストを決定する。
【００１９】
上記のサービングセルは、基地局により管理され、ユーザ装置に供するセルである。上記の第１の候補ユーザ装置識別情報リストは、サービングセルの候補ユーザ装置識別情報と、サービングセルの候補ユーザ装置識別情報に対応するマクロセルの通信リンクの干渉情報とを有する。
【００２０】
Ｓ１３：第１の候補ユーザ装置識別情報リストにおいて最小の干渉を有するユーザ装置の識別情報に対応するマクロセルの通信リンクがデバイス・ツー・デバイス（Ｄ２Ｄ）通信のための再利用可能なリソースであると判定する。
【００２１】
本発明の本実施例において提供される方法によると、Ｄ２Ｄのための再利用可能なリソースのＵＥ  ＩＤ（英語のフルネーム：ｕｓｅｒ  ｅｑｕｉｐｍｅｎｔ  ｉｄｅｎｔｉｔｙ）が選択されると、選択されたものは常に候補ＵＥ  ＩＤのリストにおける最小の干渉を有するマクロセルの通信リンクであり、これにより、マクロ基地局上のＤ２Ｄ通信により生成される干渉が低減できる。
【００２２】
任意的には、上記の方法は更に、Ｓ１３の後に、
サービングセルと隣接セルとが同一の基地局により提供されない場合、隣接セルを提供する基地局に第１の候補ＵＥ  ＩＤリストを送信する。このようにして、隣接セルを提供する基地局は、第１の候補ＵＥ  ＩＤリストを参照してもよく、これにより、隣接セルを提供する基地局は、Ｄ２Ｄのための再利用可能なリソースのＵＥ  ＩＤをより適切に選択する。
【００２３】
任意的には、Ｓ１２を実現する方法は、具体的には、
基地局が、干渉インジケータとアップリンクリソース割当て情報とに従って、最も高い優先度を有する第１の候補ユーザ装置識別情報リストを決定し、基地局が、隣接セルの第２の候補ユーザ装置識別情報リストを取得し、ここで、第２の候補ユーザ装置識別情報リストは、隣接セルの候補ユーザ装置識別情報と隣接セルの候補ユーザ装置識別情報に対応するマクロセルの通信リンクの干渉情報とを有し、第２の候補ユーザ装置識別情報リストに従って第１の候補ユーザ装置識別情報リストを調整してもよい。さらに、上記の第２の候補ユーザ装置識別情報リストを取得する方法は、上記の第１の候補ユーザ装置識別情報リストを取得する方法と同じであり、第２の候補ユーザ装置識別情報リストに対応するセルは隣接セルであり、第１の候補ユーザ装置識別情報リストに対応するセルはサービングセルであり、隣接セルはサービングセルに隣接するセルであってもよいという点で相違がある。
【００２４】
上記の第２の候補ユーザ装置識別情報リストに従って第２の候補ユーザ装置識別情報リストを調整することは、具体的には、第１のユーザ装置識別情報リストから隣接セルにおいて大きな干渉を有するユーザ装置の識別情報を削除することを含み、ここで、隣接セルにおいて大きな干渉を有するユーザ装置の識別情報は、具体的には、第２のユーザ装置識別情報リストにおいて干渉が閾値を超過するユーザ装置の識別情報である。
【００２５】
実施例１において説明された干渉協調方法では、マクロ基地局上でＤ２Ｄ通信により生成される干渉が効果的に低減できる。
【００２６】
実施例２
実施例２において、干渉協調方法が提供され、ここで、本発明の本実施例において提供される方法はＬＴＥシステムにおいて実現され、本実施例におけるデバイス・ツー・デバイスＤ２Ｄ通信は、マクロ基地局のアップリンク周波数帯において作用する。この場合、ＵＥ１は、周波数帯全体において全てのＰＲＢの受信信号干渉強度インジケータ（ＲＳＳＩ）を受信可能であり、ここで、ＲＳＳＩはＵＥ１への送信信号からの干渉の強度を示す。ＬＴＥシステムでは、システムリソースは１サブフレームの単位で割り当てられ、すなわち、１つのサブフレームにおけるリソース割当ては一貫している。従って、ＲＳＳＩ値は、１ｍｓの時間長で測定されてもよい。さらに、一部のユーザはサブフレーム内の物理ダウンリンク制御チャネル（フルネーム：Ｐｈｙｓｉｃａｌ  Ｄｏｗｎｌｉｎｋ  Ｃｏｎｔｒｏｌ  Ｃｈａｎｎｅｌ、略してＰＤＣＣＨ）の限定的なキャパシティなどの理由によって、サブフレームにおいてスケジューリングできない可能性がある。この結果、信号強度推定は、１０ｍｓのフレームにおいて１ｍの単位により複数回実行されてもよい。図２に示されるように、本方法は、
【００２７】
Ｓ２１：干渉信号強度インジケータ（ＲＳＳＩ）を取得した後、ＵＥ１は、物理アップリンク共有チャネル（英語のフルネーム：Ｐｈｙｓｉｃａｌ  Ｕｐｌｉｎｋ  Ｓｈａｒｅｄ  Ｃｈａｎｎｅｌ、略してＰＵＳＣＨ）などのアップリンクチャネルを介しサービング基地局（ｅＮｏｄｅＢ１）に少なくとも１つのサブフレームにおいてＰＲＢ干渉インジケータを直接送信する。
【００２８】
おそらく、Ｓ２１はまた以下と置換されてもよい。すなわち、ＵＥ１は、ＰＲＢの干渉強度インジケータをソートし、それから少なくとも１つのサブフレームにあり、降順（又は昇順）にソートされたＰＲＢのインデックス値を、ＰＵＳＣＨ又はＰＵＣＣＨなどのアップリンクチャネルを介しサービング基地局（ｅＮｏｄｅＢ１）に送信する。送信対象のデータ量は、干渉強度インデックス値しか送信しないことによって低減されてもよい。
【００２９】
Ｓ２２：ＵＥ１上で全てのＰＲＢの干渉信号強度インジケータ（ＲＳＳＩ）又は相対干渉信号強度インジケータ（ソートされたＰＲＢインデックス）を取得した後、サービング基地局（ｅＮｏｄｅＢ１）は、サービングセルのアップリンクリソース割当て情報（ＵＬ−Ｇｒａｎｔ）を参照して、最も高い優先度を有する第１の候補ＵＥ  ＩＤリスト（当該リストは図３に示される）を確認してもよい。
【００３０】
おそらく、実際の適用では、ＵＥ１の全てのＰＲＢに関する干渉強度情報は、Ｘ２インタフェースを介し隣接セルを提供する基地局（ｅＮｏｄｅＢ２）に送信されてもよい。ＵＥ１上で全てのＰＲＢの干渉信号強度インジケータ又は相対干渉信号強度インジケータ（ソートされたＰＲＢインデックス）を取得した後、ｅＮｏｄｅＢ２はまた、隣接セルのアップリンクリソース割当て情報（ＵＬ−Ｇｒａｎｔ）を参照して、最も高い優先度を有する第２の候補ＵＥ  ＩＤリストを確認してもよく、ここで、第２の候補ＵＥ  ＩＤのリストのサイズはＫ２に設定されてもよく、ｅＮｏｄｅＢ２は、ｅＮｏｄｅＢ２により取得された第２の候補ＵＥ  ＩＤのリストと、隣接セルの１つのフレームにおけるアップリンクリソース割当て情報（ＵＥ−Ｇｒａｎｔ）とをｅＮｏｄｅＢ１に送信する。隣接セルのアップリンクリソース割当て情報を取得した後、ｅＮｏｄｅＢ１は、計算を通じて各サブフレームにおいて提案された再利用可能なＰＲＢリソースを取得し、更に第１の候補ＵＥ  ＩＤリストとサービングセルのアップリンクリソース割当て情報（ＵＬ−Ｇｒａｎｔ）とを参照して、サービングセルの最も高い優先度を有する再利用可能なＵＥ  ＩＤを決定してもよい。この場合、Ｄ２Ｄのためのリソースは、基地局側に相対的に大きな干渉を生じさせることを回避するため、再利用されたＵＥ  ＩＤに対応するマクロセルの通信リンクにより完全に再利用されてもよい。さらに、マクロセルにおけるユーザ装置は高速移動中であるかもしれず、従って、リソース割当て処理は、複数のサブフレーム、１０ｍｓのサブフレーム又は１０ｍｓの複数のフレームの周期により実行されてもよい。
【００３１】
実施例３
実施例３において、基地局が提供され、ここで、図４に示される基地局は、
少なくとも１つのサブフレーム内にあり、ユーザ装置により送信される干渉インジケータを受信するよう構成される受信ユニット４１であって、干渉インジケータは少なくとも１つのサブフレーム内においてユーザ装置により受信され、全ての物理リソースブロックＰＲＢの受信干渉信号強度インジケータＲＳＳＩ、又は全てのＰＲＢのＲＳＳＩのソートされたインデックス値を有する、受信ユニット４１と、
サービングセルの少なくとも１つのサブフレーム内の干渉インジケータとアップリンクリソース割当て情報とに従って、最も高い優先度を有する第１の候補ユーザ装置識別情報リストを決定するよう構成される決定ユニット４２であって、サービングセルは基地局により管理され、ユーザ装置に供するセルであり、第１の候補ユーザ装置識別情報リストはサービングセルの候補ユーザ装置識別情報と、サービングセルの候補ユーザ装置識別情報に対応するマクロセルの通信リンクの干渉情報とを有する、決定ユニット４２と、
第１の候補ユーザ装置識別情報リストにおいて最小の干渉を有するユーザ装置の識別情報に対応するマクロセルの通信リンクがデバイス・ツー・デバイス通信のための再利用可能なリソースであると判定するよう構成される選択ユニット４３と、
を有する。
【００３２】
任意的には、上記の決定ユニット４２は、具体的には、
干渉インジケータとアップリンクリソース割当て情報とに従って最も高い優先度を有する第１の候補ユーザ装置識別情報リストを決定し、隣接セルの第２の候補ユーザ装置識別情報リストを取得し、ここで、第２の候補ユーザ装置識別情報リストは、隣接セルの候補ユーザ装置識別情報と隣接セルの候補ユーザ装置識別情報に対応するマクロセルの通信リンクの干渉情報とを有し、第２の候補ユーザ装置識別情報リストに従って第１の候補ユーザ装置識別情報リストを調整するよう構成される。
【００３３】
任意的には、決定ユニット４２は、具体的には、
干渉インジケータとアップリンクリソース割当て情報とに従って最も高い優先度を有する第１の候補ユーザ装置識別情報リストを決定するよう構成される第１確定モジュール４２１と、
サービングセルと隣接セルとが同一の基地局により提供される場合、隣接セルの第２の候補ユーザ装置識別情報リストを直接取得し、サービングセルと隣接セルとが同一の基地局により提供されない場合、隣接セルを提供する基地局により送信される第２の候補ユーザ装置識別情報リストを受信するよう構成される取得モジュール４２２であって、第２の候補ユーザ装置識別情報リストは、隣接セルの候補ユーザ装置識別情報と隣接セルの候補ユーザ装置識別情報に対応するマクロセルの通信リンクの干渉情報とを有する、取得モジュールと、
第１のユーザ装置識別情報リストから隣接セルにおいて大きな干渉を有するユーザ装置の識別情報を削除するよう構成される調整モジュール４２３であって、隣接セルにおいて大きな干渉を有するユーザ装置の識別情報は、具体的には、第２のユーザ装置識別情報リストにおいて干渉が閾値を超過するユーザ装置の識別情報である、調整モジュール４２３とを有する。
【００３４】
任意的には、基地局は更に、
サービングセルと隣接セルとが同一の基地局により提供されない場合、隣接セルを提供する基地局に第１の候補ユーザ装置識別情報リストを送信するよう構成される送信ユニット４４を有する。
【００３５】
実施例３において説明された基地局は、マクロ基地局上のＤ２Ｄ通信により生成される干渉を効果的に低減できる。
【００３６】
実施例４
実施例４において、基地局が提供され、ここで、図５において、基地局のハードウェアの構成図が示される。基地局は、プロセッサ５０１、メモリ５０２、送受信機５０３及びバス５０４を有する。
【００３７】
プロセッサ５０１、メモリ５０２及び送受信機５０３はバス５０４により接続され、ここで、バス５０４は、工業規格アーキテクチャ（Ｉｎｄｕｓｔｒｙ  Ｓｔａｎｄａｒｄ  Ａｒｃｈｉｔｅｃｔｕｒｅ，ＩＳＡ）バス、周辺コンポーネントインターコネクト（英語：Ｐｅｒｉｐｈｅｒａｌ  Ｃｏｍｐｏｎｅｎｔ  Ｉｎｔｅｒｃｏｎｎｅｃｔ、略してＰＣＩ）バスなどであってもよい。
【００３８】
上記のプロセッサ５０１は、中央処理ユニット（英語：ｃｅｎｔｒａｌ  ｐｒｏｃｅｓｓｉｎｇ  ｕｎｉｔ、略してＣＰＵ）、ネットワークプロセッサ（英語：ｎｅｔｗｏｒｋ  ｐｒｏｃｅｓｓｏｒ、略してＮＰ）などを含む汎用プロセッサであってもよい。
【００３９】
メモリ５０２は、プログラムを格納するよう構成される。具体的には、当該プログラムはプログラムコードを含むものであってもよく、ここで、プログラムコードはコンピュータ処理命令を含む。プログラムは、プロセッサ５０１にコンピュータ処理命令を発行するよう指示するのに利用される。メモリ５０２は、高速ランダムアクセスメモリ（英語：ｒａｎｄｏｍ−ａｃｃｅｓｓ  ｍｅｍｏｒｙ、略してＲＡＭ）メモリを含むものであってもよく、また、少なくとも１つのディスクメモリなどの不揮発性メモリ（ｎｏｎ−ｖｏｌａｔｉｌｅ  ｍｅｍｏｒｙ）を含むものであってもよい。
【００４０】
送受信機５０３は、データ、情報又はリストを受信又は送信するよう構成される。
【００４１】
送受信機５０３は、少なくとも１つのサブフレーム内にあり、ユーザ装置により送信される干渉インジケータを受信するよう構成され、ここで、干渉インジケータは、少なくとも１つのサブフレーム内においてユーザ装置により受信され、全ての物理リソースブロックＰＲＢの受信干渉信号強度インジケータＲＳＳＩ、又は全てのＰＲＢのＲＳＳＩのソートされたインデックス値を有する。
【００４２】
プロセッサ５０１は、サービングセルの少なくとも１つのサブフレーム内の干渉インジケータとアップリンクリソース割当て情報とに従って、最も高い優先度を有する第１の候補ユーザ装置識別情報リストを決定し、ここで、サービングセルは基地局により管理され、ユーザ装置に供するセルであり、第１の候補ユーザ装置識別情報リストはサービングセルの候補ユーザ装置識別情報と、サービングセルの候補ユーザ装置識別情報に対応するマクロセルの通信リンクの干渉情報とを有し、第１の候補ユーザ装置識別情報リストにおいて最小の干渉を有するユーザ装置の識別情報に対応するマクロセルの通信リンクがデバイス・ツー・デバイス（Ｄ２Ｄ通信）のための再利用可能なリソースであると判定するよう構成される。
【００４３】
任意的には、プロセッサ５０１は、具体的には、干渉インジケータとアップリンクリソース割当て情報とに従って最も高い優先度を有する第１の候補ユーザ装置識別情報リストを決定し、隣接セルの第２の候補ユーザ装置識別情報リストを取得し、ここで、第２の候補ユーザ装置識別情報リストは、隣接セルの候補ユーザ装置識別情報と隣接セルの候補ユーザ装置識別情報に対応するマクロセルの通信リンクの干渉情報とを有し、第２の候補ユーザ装置識別情報リストに従って第１の候補ユーザ装置識別情報リストを調整するよう構成される。
【００４４】
任意的には、プロセッサ５０１が、隣接セルの第２の候補ユーザ装置識別情報リストを取得することは、具体的には、サービングセルと隣接セルとが同一の基地局により提供される場合、隣接セルの第２の候補ユーザ装置識別情報リストを直接取得し、サービングセルと隣接セルとが同一の基地局により提供されない場合、隣接セルを提供する基地局により送信される第２の候補ユーザ装置識別情報リストを受信するよう送受信機５０３を制御してもよい。
【００４５】
任意的には、サービングセルと隣接セルとが同一の基地局により提供されない場合、送受信機５０３は、隣接セルを提供する基地局に第１の候補ユーザ装置識別情報リストを送信する。
【００４６】
実施例４において説明された基地局は、マクロ基地局上のＤ２Ｄ通信により生成される干渉を効果的に低減しうる。
【００４７】
上記のユニット及びシステムの実施例に含まれるモジュール又はユニットは、単に機能ロジックに従って分割されている。しかしながら、当該分割は、対応する機能が実現可能である場合、これに限定されるものでない。さらに、各機能ユニット又はモジュールの特定の名前は、単に区別の便宜のためのものであり、本発明の保護範囲を限定することを意図するものでない。
【００４８】
当業者は、本発明の実施例における技術的方策のステップの全て又は一部が、プログラムを実行することによりコンピュータによってなど、関連するハードウェアを指示するプログラムによって実現されてもよいことを理解してもよい。プログラムは、ランダムアクセスメモリ、磁気ディスク又は光ディスクなどの可読記憶媒体に格納されてもよい。
【００４９】
上記説明は、単なる本発明の一例となる実施例であり、本発明を限定することを意図するものでない。本発明の精神及び原理から逸脱することなくなされる何れの変更、等価な置換又は改良は、本発明の保護範囲内に属する。
【図１】
2016507201.tif 000003
【図２】
2016507201.tif 000004
【図３】
2016507201.tif 000005
【図４】
2016507201.tif 000006
【図５】
2016507201.tif 000007
【手続補正書】
【提出日】平成27年8月18日(2015.8.18)
【手続補正１】
【補正対象書類名】特許請求の範囲
【補正対象項目名】全文
【補正方法】変更
【補正の内容】
【特許請求の範囲】
【請求項１】
干渉協調方法であって、
基地局が、少なくとも１つのサブフレーム内にあり、ユーザ装置により送信される干渉インジケータを受信するステップであって、前記干渉インジケータは前記少なくとも１つのサブフレーム内において前記ユーザ装置により受信され、全ての物理リソースブロック（ＰＲＢ）の受信信号強度インジケータ（ＲＳＳＩ）、又は前記全てのＰＲＢのＲＳＳＩのソートされたインデックス値を有する、受信するステップと、
前記基地局が、サービングセルの前記少なくとも１つのサブフレーム内の前記干渉インジケータとアップリンクリソース割当て情報とに従って、最も高い優先度を有する第１の候補ユーザ装置識別情報リストを決定するステップであって、前記サービングセルは前記基地局により管理され、前記ユーザ装置に供するセルであり、前記第１の候補ユーザ装置識別情報リストは前記サービングセルの候補ユーザ装置識別情報と、前記サービングセルの候補ユーザ装置識別情報に対応するマクロセルの通信リンクの干渉情報とを有する、決定するステップと、
前記基地局が、前記第１の候補ユーザ装置識別情報リストにおいて最小の干渉を有するユーザ装置の識別情報に対応するマクロセルの通信リンクがデバイス・ツー・デバイス（Ｄ２Ｄ）通信のための再利用可能なリソースであると判定するステップと、
を有する干渉協調方法。
【請求項２】
前記基地局が、サービングセルの前記少なくとも１つのサブフレーム内の前記干渉インジケータとアップリンクリソース割当て情報とに従って、最も高い優先度を有する第１の候補ユーザ装置識別情報リストを決定するステップは、
前記基地局が、前記干渉インジケータと前記アップリンクリソース割当て情報とに従って最も高い優先度を有する前記第１の候補ユーザ装置識別情報リストを決定するステップと、
前記基地局が、隣接セルの第２の候補ユーザ装置識別情報リストを取得するステップであって、前記第２の候補ユーザ装置識別情報リストは、前記隣接セルの候補ユーザ装置識別情報と前記隣接セルの候補ユーザ装置識別情報に対応するマクロセルの通信リンクの干渉情報とを有する、取得するステップと、
前記第２の候補ユーザ装置識別情報リストに従って前記第１の候補ユーザ装置識別情報リストを調整するステップと、
を有する、請求項１記載の方法。
【請求項３】
前記第２の候補ユーザ装置識別情報リストに従って前記第１の候補ユーザ装置識別情報リストを調整するステップは、
前記第１の候補ユーザ装置識別情報リストから前記隣接セルにおいて大きな干渉を有するユーザ装置の識別情報を削除するステップであって、前記隣接セルにおいて大きな干渉を有するユーザ装置の識別情報は、前記第２の候補ユーザ装置識別情報リストにおいて干渉強度が閾値を超過するユーザ装置の識別情報である、削除するステップを有する、請求項２記載の方法。
【請求項４】
前記基地局が、隣接セルの第２の候補ユーザ装置識別情報リストを取得するステップは、
前記サービングセルと前記隣接セルとが同一の基地局により提供される場合、前記基地局が、前記隣接セルの前記第２の候補ユーザ装置識別情報リストを直接取得するステップと、
前記サービングセルと前記隣接セルとが同一の基地局により提供されない場合、前記基地局が、前記隣接セルを提供する基地局により送信される前記第２の候補ユーザ装置識別情報リストを受信するステップと、
を有する、請求項２記載の方法。
【請求項５】
前記基地局が、前記第１の候補ユーザ装置識別情報リストにおいて最小の干渉を有するユーザ装置の識別情報に対応するマクロセルの通信リンクがデバイス・ツー・デバイスＤ２Ｄ通信のための再利用可能なリソースであると判定した後、当該方法は更に、
前記サービングセルと前記隣接セルとが同一の基地局により提供されない場合、前記基地局が、前記隣接セルを提供する前記基地局に前記第１の候補ユーザ装置識別情報リストを送信するステップを有する、請求項１乃至４何れか一項記載の方法。
【請求項６】
基地局であって、
少なくとも１つのサブフレーム内にあり、ユーザ装置により送信される干渉インジケータを受信するよう構成される受信ユニットであって、前記干渉インジケータは前記少なくとも１つのサブフレーム内において前記ユーザ装置により受信され、全ての物理リソースブロック（ＰＲＢ）の受信信号強度インジケータ（ＲＳＳＩ）、又は前記全てのＰＲＢのＲＳＳＩのソートされたインデックス値を有する、受信ユニットと、
サービングセルの前記少なくとも１つのサブフレーム内の前記干渉インジケータとアップリンクリソース割当て情報とに従って、最も高い優先度を有する第１の候補ユーザ装置識別情報リストを決定するよう構成される決定ユニットであって、前記サービングセルは前記基地局により管理され、前記ユーザ装置に供するセルであり、前記第１の候補ユーザ装置識別情報リストは前記サービングセルの候補ユーザ装置識別情報と、前記サービングセルの候補ユーザ装置識別情報に対応するマクロセルの通信リンクの干渉情報とを有する、決定ユニットと、
前記第１の候補ユーザ装置識別情報リストにおいて最小の干渉を有するユーザ装置の識別情報に対応するマクロセルの通信リンクがデバイス・ツー・デバイス（Ｄ２Ｄ）通信のための再利用可能なリソースであると判定するよう構成される選択ユニットと、
を有する基地局。
【請求項７】
前記決定ユニットは、
前記干渉インジケータと前記アップリンクリソース割当て情報とに従って最も高い優先度を有する前記第１の候補ユーザ装置識別情報リストを決定し、
隣接セルの第２の候補ユーザ装置識別情報リストを取得し、前記第２の候補ユーザ装置識別情報リストは、前記隣接セルの候補ユーザ装置識別情報と前記隣接セルの候補ユーザ装置識別情報に対応するマクロセルの通信リンクの干渉情報とを有し、
前記第２の候補ユーザ装置識別情報リストに従って前記第１の候補ユーザ装置識別情報リストを調整するよう構成される、請求項６記載の基地局。
【請求項８】
前記決定ユニットは、
前記干渉インジケータと前記アップリンクリソース割当て情報とに従って最も高い優先度を有する前記第１の候補ユーザ装置識別情報リストを決定するよう構成される第１確定モジュールと、
前記サービングセルと隣接セルとが同一の基地局により提供される場合、前記隣接セルの第２の候補ユーザ装置識別情報リストを直接取得し、前記サービングセルと前記隣接セルとが同一の基地局により提供されない場合、前記隣接セルを提供する基地局により送信される第２の候補ユーザ装置識別情報リストを受信するよう構成される取得モジュールであって、前記第２の候補ユーザ装置識別情報リストは、前記隣接セルの候補ユーザ装置識別情報と前記隣接セルの候補ユーザ装置識別情報に対応するマクロセルの通信リンクの干渉情報とを有する、取得モジュールと、
前記第１のユーザ装置識別情報リストから前記隣接セルにおいて大きな干渉を有するユーザ装置の識別情報を削除するよう構成される調整モジュールであって、前記隣接セルにおいて大きな干渉を有するユーザ装置の識別情報は、前記第２のユーザ装置識別情報リストにおいて干渉強度が閾値を超過するユーザ装置の識別情報である、調整モジュールとを有する、請求項６記載の基地局。
【請求項９】
当該基地局は更に、
前記サービングセルと前記隣接セルとが同一の基地局により提供されない場合、前記隣接セルを提供する前記基地局に前記第１の候補ユーザ装置識別情報リストを送信するよう構成される送信ユニットを有する、請求項６乃至８何れか一項記載の基地局。
【手続補正２】
【補正対象書類名】明細書
【補正対象項目名】全文
【補正方法】変更
【補正の内容】
【発明の詳細な説明】
【技術分野】
【０００１】
本発明は、通信分野に属し、特に干渉協調方法及び基地局に属する。
【背景技術】
【０００２】
３ＧＰＰにおいて提案されたロング・ターム・エボリューション・アドバンスト（英語：ｌｏｎｇ  ｔｅｒｍ  ｅｖｏｌｕｔｉｏｎ  Ａｄｖａｎｃｅｄ、略してＬＴＥ−Ａ）の以降の研究プロジェクトのため、より高いデータレート及びシステムキャパシティを提供するために、ＩＭＴ−Ａｄｖａｎｃｅｄ（英語のフルネーム：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）の要求を充足するための新たな技術が、ＬＴＥに基づき提供される必要がある。セルラネットワーク上では、ＩＭＴ−Ａシステムは、スペクトル利用レートを向上させるため、デバイス・ツー・デバイス（英語：Ｄｅｖｉｃｅ−ｔｏ−Ｄｅｖｉｃｅ、略してＤ２Ｄ）通信をサポートすることが許容されている。Ｄ２Ｄ通信は、データ交換又はサービスが基地局を介した転送なく直接的に実行される技術である。セルラネットワーク上では、Ｄ２Ｄ通信はライセンスされた周波数帯において作用し、各Ｄ２Ｄ通信リンクにより占有されるリソースは、セルラ通信リンクにより占有されるリソースと同じである。セルラネットワークとリソースを共有するとき、Ｄ２Ｄ通信はまたある干渉をもたらす。セルラネットワークとＤ２Ｄ通信との間の干渉をどのようにして効果的に協調させるかは、早急に解決する必要がある問題である。
【発明の概要】
【０００３】
本発明の実施例の目的は、セルラネットワークとＤ２Ｄ通信との間の干渉の問題を効果的に解決することを意図した干渉協調方法を提供することである。
【０００４】
第１の態様によると、干渉協調方法が提供され、ここで、当該方法は、
基地局が、少なくとも１つのサブフレーム内にあり、ユーザ装置により送信される干渉インジケータを受信するステップであって、前記干渉インジケータは前記少なくとも１つのサブフレーム内において前記ユーザ装置により受信され、全ての物理リソースブロックＰＲＢの受信信号強度インジケータＲＳＳＩ、又は前記全てのＰＲＢのＲＳＳＩのソートされたインデックス値を有する、受信するステップと、
前記基地局が、サービングセルの前記少なくとも１つのサブフレーム内の前記干渉インジケータとアップリンクリソース割当て情報とに従って、最も高い優先度を有する第１の候補ユーザ装置識別情報リストを決定するステップであって、前記サービングセルは前記基地局により管理され、前記ユーザ装置に供するセルであり、前記第１の候補ユーザ装置識別情報リストは前記サービングセルの候補ユーザ装置識別情報と、前記サービングセルの候補ユーザ装置識別情報に対応するマクロセルの通信リンクの干渉情報とを有する、決定するステップと、
前記基地局が、前記第１の候補ユーザ装置識別情報リストにおいて最小の干渉を有するユーザ装置の識別情報に対応するマクロセルの通信リンクがデバイス・ツー・デバイス（Ｄ２Ｄ）通信のための再利用可能なリソースであると判定するステップと、
を有する。
【０００５】
第１の態様における干渉協調方法を参照して、第１の態様の第１の任意的方策では、前記基地局が、サービングセルの前記少なくとも１つのサブフレーム内の前記干渉インジケータとアップリンクリソース割当て情報とに従って、最も高い優先度を有する第１の候補ユーザ装置識別情報リストを決定するステップは、
前記基地局が、前記干渉インジケータと前記アップリンクリソース割当て情報とに従って最も高い優先度を有する前記第１の候補ユーザ装置識別情報リストを決定するステップと、前記基地局が、隣接セルの第２の候補ユーザ装置識別情報リストを取得するステップであって、前記第２の候補ユーザ装置識別情報リストは、前記隣接セルの候補ユーザ装置識別情報と前記隣接セルの候補ユーザ装置識別情報に対応するマクロセルの通信リンクの干渉情報とを有する、取得するステップと、前記第２の候補ユーザ装置識別情報リストに従って前記第１の候補ユーザ装置識別情報リストを調整するステップとを有する。
【０００６】
第１の態様の第１の任意的方策を参照して、第１の態様の第２の任意的方策では、前記第２の候補ユーザ装置識別情報リストに従って前記第１の候補ユーザ装置識別情報リストを調整するステップは、具体的には、
前記第１の候補ユーザ装置識別情報リストから前記隣接セルにおいて大きな干渉を有するユーザ装置の識別情報を削除するステップであって、前記隣接セルにおいて大きな干渉を有するユーザ装置の識別情報は、具体的には、前記第２の候補ユーザ装置識別情報リストにおいて干渉強度が閾値を超過するユーザ装置の識別情報である、削除するステップを有する。
【０００７】
第１の態様の第１の任意的方策を参照して、第１の態様の第３の任意的方策では、前記基地局が、隣接セルの第２の候補ユーザ装置識別情報リストを取得するステップは、具体的には、
前記サービングセルと前記隣接セルとが同一の基地局により提供される場合、前記基地局が、前記隣接セルの前記第２の候補ユーザ装置識別情報リストを直接取得するステップと、
前記サービングセルと前記隣接セルとが同一の基地局により提供されない場合、前記基地局が、前記隣接セルを提供する基地局により送信される前記第２の候補ユーザ装置識別情報リストを受信するステップと、
を有する。
【０００８】
第１の態様、第１の態様の第１の任意的方策、第１の態様の第２の任意的方策又は第１の態様の第３の任意的方策における干渉協調方法を参照して、第１の態様の第４の任意的方策では、前記基地局が、前記第１の候補ユーザ装置識別情報リストにおいて最小の干渉を有するユーザ装置の識別情報に対応するマクロセルの通信リンクがデバイス・ツー・デバイス（Ｄ２Ｄ）通信のための再利用可能なリソースであると判定した後、当該方法は更に、
前記サービングセルと前記隣接セルとが同一の基地局により提供されない場合、前記基地局が、前記隣接セルを提供する前記基地局に前記第１の候補ユーザ装置識別情報リストを送信するステップを有する。
【０００９】
第２の態様によると、基地局が提供され、ここで、当該基地局は、
少なくとも１つのサブフレーム内にあり、ユーザ装置により送信される干渉インジケータを受信するよう構成される受信ユニットであって、前記干渉インジケータは前記少なくとも１つのサブフレーム内において前記ユーザ装置により受信され、全ての物理リソースブロックＰＲＢの受信信号強度インジケータＲＳＳＩ、又は前記全てのＰＲＢのＲＳＳＩのソートされたインデックス値を有する、受信ユニットと、
サービングセルの前記少なくとも１つのサブフレーム内の前記干渉インジケータとアップリンクリソース割当て情報とに従って、最も高い優先度を有する第１の候補ユーザ装置識別情報リストを決定するよう構成される決定ユニットであって、前記サービングセルは前記基地局により管理され、前記ユーザ装置に供するセルであり、前記第１の候補ユーザ装置識別情報リストは前記サービングセルの候補ユーザ装置識別情報と、前記サービングセルの候補ユーザ装置識別情報に対応するマクロセルの通信リンクの干渉情報とを有する、決定ユニットと、
前記第１リストにおいて最小の干渉を有するユーザ装置の候補ユーザ装置識別情報の識別情報に対応するマクロセルの通信リンクがデバイス・ツー・デバイス（Ｄ２Ｄ）通信のための再利用可能なリソースであると判定するよう構成される選択ユニットと、
を有する。
【００１０】
第２の態様における基地局を参照して、第２の態様の第１の任意的方策では、前記決定ユニットは、具体的には、前記干渉インジケータと前記アップリンクリソース割当て情報とに従って最も高い優先度を有する前記第１の候補ユーザ装置識別情報リストを決定し、隣接セルの第２の候補ユーザ装置識別情報リストを取得し、前記第２の候補ユーザ装置識別情報リストは、前記隣接セルの候補ユーザ装置識別情報と前記隣接セルの候補ユーザ装置識別情報に対応するマクロセルの通信リンクの干渉情報とを有し、前記第２の候補ユーザ装置識別情報リストに従って前記第１の候補ユーザ装置識別情報リストを調整するよう構成される。
【００１１】
第２の態様における基地局を参照して、第２の態様の第２の任意的方策では、前記決定ユニットは、
前記干渉インジケータと前記アップリンクリソース割当て情報とに従って最も高い優先度を有する前記第１の候補ユーザ装置識別情報リストを決定するよう構成される第１確定モジュールと、
前記サービングセルと隣接セルとが同一の基地局により提供される場合、前記隣接セルの第２の候補ユーザ装置識別情報リストを直接取得し、前記サービングセルと前記隣接セルとが同一の基地局により提供されない場合、前記隣接セルを提供する基地局により送信される第２の候補ユーザ装置識別情報リストを受信するよう構成される取得モジュールであって、前記第２の候補ユーザ装置識別情報リストは、前記隣接セルの候補ユーザ装置識別情報と前記隣接セルの候補ユーザ装置識別情報に対応するマクロセルの通信リンクの干渉情報とを有する、取得モジュールと、
前記第１の候補ユーザ装置識別情報リストから前記隣接セルにおいて大きな干渉を有するユーザ装置の識別情報を削除するよう構成される調整モジュールであって、前記隣接セルにおいて大きな干渉を有するユーザ装置の識別情報は、具体的には、前記第２の候補ユーザ装置識別情報リストにおいて干渉強度が閾値を超過するユーザ装置の識別情報である、調整モジュールとを有する。
【００１２】
第２の態様、第２の態様の第１の任意的方策又は第２の態様の第２の任意的方策における基地局を参照して、第２の態様の第３の任意的方策では、当該基地局は更に、
前記サービングセルと前記隣接セルとが同一の基地局により提供されない場合、前記隣接セルを提供する前記基地局に前記第１の候補ユーザ装置識別情報リストを送信するよう構成される送信ユニットを有する。
【００１３】
本発明の実施例では、Ｄ２Ｄ通信のための再利用可能なリソースの識別情報が本発明において提供される技術的方策に従って選択されると、選択されたものは常に候補ユーザ装置識別情報リストにおける最小の干渉を有するマクロセルの通信リンクとなり、これにより、マクロ基地局上のＤ２Ｄ通信から生成される干渉が低減できる。
【図面の簡単な説明】
【００１４】
【図１】図１は、本発明の実施例１による干渉協調方法のフローチャートである。
【図２】図２は、本発明の実施例２による干渉協調方法のフローチャートである。
【図３】図３は、本発明の実施例２による第１の候補ユーザ装置識別情報リストの概略図である。
【図４】図４は、本発明の実施例３による基地局の構成図である。
【図５】図５は、本発明の実施例４による基地局の構成図である。
【発明を実施するための形態】
【００１５】
本発明の課題、技術的方策及び効果をより明確且つより理解可能にするため、以下は更に、添付した図面及び実施例を参照して本発明を詳細に説明する。ここに説明される特定の実施例は単に本発明を説明するのに利用され、本発明を限定することを意図するものでないことが理解されるべきである。
【００１６】
実施例１
実施例１において、干渉協調方法が提供され、ここで、当該方法は基地局により実行される。図１に示される方法は以下を含む。
【００１７】
Ｓ１１：基地局が、少なくとも１つのサブフレーム内にあり、ユーザ装置により送信される干渉インジケータを受信し、ここで、干渉インジケータは少なくとも１つのサブフレーム内においてユーザ装置により受信され、全ての物理リソースブロック（英語：ｐｈｙｓｉｃａｌ  ｒｅｓｏｕｒｃｅ  ｂｌｏｃｋ、略してＰＲＢ）の受信信号強度インジケータ（英語：Ｒｅｃｅｉｖｅｄ  Ｓｉｇｎａｌ  Ｓｔｒｅｎｇｔｈ  Ｉｎｄｉｃａｔｏｒ、略してＲＳＳＩ）、又はＰＲＢのＲＳＳＩのソートされたインデックス値を有する。
【００１８】
Ｓ１２：基地局が、サービングセルの少なくとも１つのサブフレーム内の干渉インジケータとアップリンクリソース割当て情報とに従って、最も高い優先度を有する第１の候補ユーザ装置識別情報リストを決定する。
【００１９】
上記のサービングセルは、基地局により管理され、ユーザ装置に供するセルである。上記の第１の候補ユーザ装置識別情報リストは、サービングセルの候補ユーザ装置識別情報と、サービングセルの候補ユーザ装置識別情報に対応するマクロセルの通信リンクの干渉情報とを有する。
【００２０】
Ｓ１３：第１の候補ユーザ装置識別情報リストにおいて最小の干渉を有するユーザ装置の識別情報に対応するマクロセルの通信リンクがデバイス・ツー・デバイス（Ｄ２Ｄ）通信のための再利用可能なリソースであると判定する。
【００２１】
本発明の本実施例において提供される方法によると、Ｄ２Ｄ通信のための再利用可能なリソースのＵＥ  ＩＤ（英語のフルネーム：ｕｓｅｒ  ｅｑｕｉｐｍｅｎｔ  ｉｄｅｎｔｉｔｙ）が選択されると、選択されたものは常に候補ＵＥ  ＩＤのリストにおける最小の干渉を有するマクロセルの通信リンクであり、これにより、マクロ基地局上のＤ２Ｄ通信により生成される干渉が低減できる。
【００２２】
任意的には、上記の方法は更に、Ｓ１３の後に、
サービングセルと隣接セルとが同一の基地局により提供されない場合、隣接セルを提供する基地局に第１の候補ＵＥ  ＩＤリストを送信する。このようにして、隣接セルを提供する基地局は、第１の候補ＵＥ  ＩＤリストを参照してもよく、これにより、隣接セルを提供する基地局は、Ｄ２Ｄ通信のための再利用可能なリソースのＵＥ  ＩＤをより適切に選択する。
【００２３】
任意的には、Ｓ１２を実現する方法は、具体的には、
基地局が、干渉インジケータとアップリンクリソース割当て情報とに従って、最も高い優先度を有する第１の候補ユーザ装置識別情報リストを決定し、基地局が、隣接セルの第２の候補ユーザ装置識別情報リストを取得し、ここで、第２の候補ユーザ装置識別情報リストは、隣接セルの候補ユーザ装置識別情報と隣接セルの候補ユーザ装置識別情報に対応するマクロセルの通信リンクの干渉情報とを有し、第２の候補ユーザ装置識別情報リストに従って第１の候補ユーザ装置識別情報リストを調整してもよい。さらに、上記の第２の候補ユーザ装置識別情報リストを取得する方法は、上記の第１の候補ユーザ装置識別情報リストを取得する方法と同じであり、第２の候補ユーザ装置識別情報リストに対応するセルは隣接セルであり、第１の候補ユーザ装置識別情報リストに対応するセルはサービングセルであり、隣接セルはサービングセルに隣接するセルであってもよいという点で相違がある。
【００２４】
上記の第２の候補ユーザ装置識別情報リストに従って第１の候補ユーザ装置識別情報リストを調整することは、具体的には、第１の候補ユーザ装置識別情報リストから隣接セルにおいて大きな干渉を有するユーザ装置の識別情報を削除することを含み、ここで、隣接セルにおいて大きな干渉を有するユーザ装置の識別情報は、具体的には、第２の候補ユーザ装置識別情報リストにおいて干渉強度が閾値を超過するユーザ装置の識別情報である。
【００２５】
実施例１において説明された干渉協調方法では、マクロ基地局上でＤ２Ｄ通信により生成される干渉が効果的に低減できる。
【００２６】
実施例２
実施例２において、干渉協調方法が提供され、ここで、本発明の本実施例において提供される方法はＬＴＥシステムにおいて実現され、本実施例におけるデバイス・ツー・デバイスＤ２Ｄ通信は、マクロ基地局のアップリンク周波数帯において作用する。この場合、ＵＥ１は、周波数帯全体において全てのＰＲＢの受信信号干渉強度インジケータ（ＲＳＳＩ）を受信可能である。ＬＴＥシステムでは、システムリソースは１サブフレームの単位で割り当てられ、すなわち、１つのサブフレームにおけるリソース割当ては一貫している。従って、ＲＳＳＩ値は、１ｍｓの時間長で測定されてもよい。さらに、一部のユーザはサブフレーム内の物理ダウンリンク制御チャネル（フルネーム：Ｐｈｙｓｉｃａｌ  Ｄｏｗｎｌｉｎｋ  Ｃｏｎｔｒｏｌ  Ｃｈａｎｎｅｌ、略してＰＤＣＣＨ）の限定的なキャパシティなどの理由によって、サブフレームにおいてスケジューリングできない可能性がある。この結果、信号強度推定は、１０ｍｓのフレームにおいて１ｍの単位により複数回実行されてもよい。図２に示されるように、本方法は、
【００２７】
Ｓ２１：受信信号強度インジケータ（ＲＳＳＩ）を取得した後、ＵＥ１は、物理アップリンク共有チャネル（英語のフルネーム：Ｐｈｙｓｉｃａｌ  Ｕｐｌｉｎｋ  Ｓｈａｒｅｄ  Ｃｈａｎｎｅｌ、略してＰＵＳＣＨ）などのアップリンクチャネルを介しサービング基地局（ｅＮｏｄｅＢ１）に少なくとも１つのサブフレームにおいてＰＲＢ干渉インジケータを直接送信する。
【００２８】
おそらく、Ｓ２１はまた以下と置換されてもよい。すなわち、ＵＥ１は、ＰＲＢの干渉強度インジケータをソートし、それから少なくとも１つのサブフレームにあり、降順（又は昇順）にソートされたＰＲＢのインデックス値を、ＰＵＳＣＨ又はＰＵＣＣＨなどのアップリンクチャネルを介しサービング基地局（ｅＮｏｄｅＢ１）に送信する。送信対象のデータ量は、干渉強度インデックス値しか送信しないことによって低減されてもよい。
【００２９】
Ｓ２２：ＵＥ１により受信される全てのＰＲＢの受信信号強度インジケータ（ＲＳＳＩ）又は相対受信信号強度インジケータ（ソートされたＰＲＢインデックス）を取得した後、サービング基地局（ｅＮｏｄｅＢ１）は、サービングセルのアップリンクリソース割当て情報（ＵＬ−Ｇｒａｎｔ）を参照して、最も高い優先度を有する第１の候補ＵＥ  ＩＤリスト（当該リストは図３に示される）を確認してもよい。
【００３０】
おそらく、実際の適用では、ＵＥ１の全てのＰＲＢに関する干渉強度情報は、Ｘ２インタフェースを介し隣接セルを提供する基地局（ｅＮｏｄｅＢ２）に送信されてもよい。ＵＥ１上で全てのＰＲＢの受信信号強度インジケータ又は相対受信信号強度インジケータ（ソートされたＰＲＢインデックス）を取得した後、ｅＮｏｄｅＢ２はまた、隣接セルのアップリンクリソース割当て情報（ＵＬ−Ｇｒａｎｔ）を参照して、最も高い優先度を有する第２の候補ＵＥ  ＩＤリストを確認してもよく、ここで、第２の候補ＵＥ  ＩＤのリストのサイズはＫ２に設定されてもよく、ｅＮｏｄｅＢ２は、ｅＮｏｄｅＢ２により取得された第２の候補ＵＥ  ＩＤのリストと、隣接セルの１つのフレームにおけるアップリンクリソース割当て情報（ＵＥ−Ｇｒａｎｔ）とをｅＮｏｄｅＢ１に送信する。隣接セルのアップリンクリソース割当て情報を取得した後、ｅＮｏｄｅＢ１は、計算を通じて各サブフレームにおいて提案された再利用可能なＰＲＢリソースを取得し、更に第１の候補ＵＥ  ＩＤリストとサービングセルのアップリンクリソース割当て情報（ＵＬ−Ｇｒａｎｔ）とを参照して、サービングセルの最も高い優先度を有する再利用可能なＵＥ  ＩＤを決定してもよい。この場合、Ｄ２Ｄのためのリソースは、基地局側に相対的に大きな干渉を生じさせることを回避するため、再利用されたＵＥ  ＩＤに対応するマクロセルの通信リンクにより完全に再利用されてもよい。さらに、マクロセルにおけるユーザ装置は高速移動中であるかもしれず、従って、リソース割当て処理は、複数のサブフレーム、１０ｍｓのサブフレーム又は１０ｍｓの複数のフレームの周期により実行されてもよい。
【００３１】
実施例３
実施例３において、基地局が提供され、ここで、図４に示される基地局は、
少なくとも１つのサブフレーム内にあり、ユーザ装置により送信される干渉インジケータを受信するよう構成される受信ユニット４１であって、干渉インジケータは少なくとも１つのサブフレーム内においてユーザ装置により受信され、全ての物理リソースブロックＰＲＢの受信信号強度インジケータＲＳＳＩ、又は全てのＰＲＢのＲＳＳＩのソートされたインデックス値を有する、受信ユニット４１と、
サービングセルの少なくとも１つのサブフレーム内の干渉インジケータとアップリンクリソース割当て情報とに従って、最も高い優先度を有する第１の候補ユーザ装置識別情報リストを決定するよう構成される決定ユニット４２であって、サービングセルは基地局により管理され、ユーザ装置に供するセルであり、第１の候補ユーザ装置識別情報リストはサービングセルの候補ユーザ装置識別情報と、サービングセルの候補ユーザ装置識別情報に対応するマクロセルの通信リンクの干渉情報とを有する、決定ユニット４２と、
第１の候補ユーザ装置識別情報リストにおいて最小の干渉を有するユーザ装置の識別情報に対応するマクロセルの通信リンクがデバイス・ツー・デバイス通信のための再利用可能なリソースであると判定するよう構成される選択ユニット４３と、
を有する。
【００３２】
任意的には、上記の決定ユニット４２は、具体的には、
干渉インジケータとアップリンクリソース割当て情報とに従って最も高い優先度を有する第１の候補ユーザ装置識別情報リストを決定し、隣接セルの第２の候補ユーザ装置識別情報リストを取得し、ここで、第２の候補ユーザ装置識別情報リストは、隣接セルの候補ユーザ装置識別情報と隣接セルの候補ユーザ装置識別情報に対応するマクロセルの通信リンクの干渉情報とを有し、第２の候補ユーザ装置識別情報リストに従って第１の候補ユーザ装置識別情報リストを調整するよう構成される。
【００３３】
任意的には、決定ユニット４２は、具体的には、
干渉インジケータとアップリンクリソース割当て情報とに従って最も高い優先度を有する第１の候補ユーザ装置識別情報リストを決定するよう構成される第１確定モジュール４２１と、
サービングセルと隣接セルとが同一の基地局により提供される場合、隣接セルの第２の候補ユーザ装置識別情報リストを直接取得し、サービングセルと隣接セルとが同一の基地局により提供されない場合、隣接セルを提供する基地局により送信される第２の候補ユーザ装置識別情報リストを受信するよう構成される取得モジュール４２２であって、第２の候補ユーザ装置識別情報リストは、隣接セルの候補ユーザ装置識別情報と隣接セルの候補ユーザ装置識別情報に対応するマクロセルの通信リンクの干渉情報とを有する、取得モジュールと、
第１の候補ユーザ装置識別情報リストから隣接セルにおいて大きな干渉を有するユーザ装置の識別情報を削除するよう構成される調整モジュール４２３であって、隣接セルにおいて大きな干渉を有するユーザ装置の識別情報は、具体的には、第２の候補ユーザ装置識別情報リストにおいて干渉強度が閾値を超過するユーザ装置の識別情報である、調整モジュール４２３とを有する。
【００３４】
任意的には、基地局は更に、
サービングセルと隣接セルとが同一の基地局により提供されない場合、隣接セルを提供する基地局に第１の候補ユーザ装置識別情報リストを送信するよう構成される送信ユニット４４を有する。
【００３５】
実施例３において説明された基地局は、マクロ基地局上のＤ２Ｄ通信により生成される干渉を効果的に低減できる。
【００３６】
実施例４
実施例４において、基地局が提供され、ここで、図５において、基地局のハードウェアの構成図が示される。基地局は、プロセッサ５０１、メモリ５０２、送受信機５０３及びバス５０４を有する。
【００３７】
プロセッサ５０１、メモリ５０２及び送受信機５０３はバス５０４により接続され、ここで、バス５０４は、工業規格アーキテクチャ（Ｉｎｄｕｓｔｒｙ  Ｓｔａｎｄａｒｄ  Ａｒｃｈｉｔｅｃｔｕｒｅ，ＩＳＡ）バス、周辺コンポーネントインターコネクト（英語：Ｐｅｒｉｐｈｅｒａｌ  Ｃｏｍｐｏｎｅｎｔ  Ｉｎｔｅｒｃｏｎｎｅｃｔ、略してＰＣＩ）バスなどであってもよい。
【００３８】
上記のプロセッサ５０１は、中央処理ユニット（英語：ｃｅｎｔｒａｌ  ｐｒｏｃｅｓｓｉｎｇ  ｕｎｉｔ、略してＣＰＵ）、ネットワークプロセッサ（英語：ｎｅｔｗｏｒｋ  ｐｒｏｃｅｓｓｏｒ、略してＮＰ）などを含む汎用プロセッサであってもよい。
【００３９】
メモリ５０２は、プログラムを格納するよう構成される。具体的には、当該プログラムはプログラムコードを含むものであってもよく、ここで、プログラムコードはコンピュータ処理命令を含む。プログラムは、プロセッサ５０１にコンピュータ処理命令を発行するよう指示するのに利用される。メモリ５０２は、高速ランダムアクセスメモリ（英語：ｒａｎｄｏｍ−ａｃｃｅｓｓ  ｍｅｍｏｒｙ、略してＲＡＭ）を含むものであってもよく、また、少なくとも１つのディスクメモリなどの不揮発性メモリ（ｎｏｎ−ｖｏｌａｔｉｌｅ  ｍｅｍｏｒｙ）を含むものであってもよい。
【００４０】
送受信機５０３は、データ、情報又はリストを受信又は送信するよう構成される。
【００４１】
送受信機５０３は、少なくとも１つのサブフレーム内にあり、ユーザ装置により送信される干渉インジケータを受信するよう構成され、ここで、干渉インジケータは、少なくとも１つのサブフレーム内においてユーザ装置により受信され、全ての物理リソースブロックＰＲＢの受信信号強度インジケータＲＳＳＩ、又は全てのＰＲＢのＲＳＳＩのソートされたインデックス値を有する。
【００４２】
プロセッサ５０１は、サービングセルの少なくとも１つのサブフレーム内の干渉インジケータとアップリンクリソース割当て情報とに従って、最も高い優先度を有する第１の候補ユーザ装置識別情報リストを決定し、ここで、サービングセルは基地局により管理され、ユーザ装置に供するセルであり、第１の候補ユーザ装置識別情報リストはサービングセルの候補ユーザ装置識別情報と、サービングセルの候補ユーザ装置識別情報に対応するマクロセルの通信リンクの干渉情報とを有し、第１の候補ユーザ装置識別情報リストにおいて最小の干渉を有するユーザ装置の識別情報に対応するマクロセルの通信リンクがデバイス・ツー・デバイス（Ｄ２Ｄ通信）のための再利用可能なリソースであると判定するよう構成される。
【００４３】
任意的には、プロセッサ５０１は、具体的には、干渉インジケータとアップリンクリソース割当て情報とに従って最も高い優先度を有する第１の候補ユーザ装置識別情報リストを決定し、隣接セルの第２の候補ユーザ装置識別情報リストを取得し、ここで、第２の候補ユーザ装置識別情報リストは、隣接セルの候補ユーザ装置識別情報と隣接セルの候補ユーザ装置識別情報に対応するマクロセルの通信リンクの干渉情報とを有し、第２の候補ユーザ装置識別情報リストに従って第１の候補ユーザ装置識別情報リストを調整するよう構成される。
【００４４】
任意的には、プロセッサ５０１が、隣接セルの第２の候補ユーザ装置識別情報リストを取得することは、具体的には、サービングセルと隣接セルとが同一の基地局により提供される場合、隣接セルの第２の候補ユーザ装置識別情報リストを直接取得し、サービングセルと隣接セルとが同一の基地局により提供されない場合、隣接セルを提供する基地局により送信される第２の候補ユーザ装置識別情報リストを受信するよう送受信機５０３を制御してもよい。
【００４５】
任意的には、サービングセルと隣接セルとが同一の基地局により提供されない場合、送受信機５０３は、隣接セルを提供する基地局に第１の候補ユーザ装置識別情報リストを送信する。
【００４６】
実施例４において説明された基地局は、マクロ基地局上のＤ２Ｄ通信により生成される干渉を効果的に低減しうる。
【００４７】
上記のユニット及びシステムの実施例に含まれるモジュール又はユニットは、単に機能ロジックに従って分割されている。しかしながら、当該分割は、対応する機能が実現可能である場合、これに限定されるものでない。さらに、各機能ユニット又はモジュールの特定の名前は、単に区別の便宜のためのものであり、本発明の保護範囲を限定することを意図するものでない。
【００４８】
当業者は、本発明の実施例における技術的方策のステップの全て又は一部が、プログラムを実行することによりコンピュータによってなど、関連するハードウェアを指示するプログラムによって実現されてもよいことを理解してもよい。プログラムは、ランダムアクセスメモリ、磁気ディスク又は光ディスクなどの可読記憶媒体に格納されてもよい。
【００４９】
上記説明は、単なる本発明の一例となる実施例であり、本発明を限定することを意図するものでない。本発明の精神及び原理から逸脱することなくなされる何れの変更、等価な置換又は改良は、本発明の保護範囲内に属する。
【国際調査報告】
2016507201.tif 000008
2016507201.tif 000009
2016507201.tif 000010
2016507201.tif 000011